(57)【要約】      （修正有）【課題】コンテンツに関して原本性を管理するとともに、その分岐を追跡可能にした情報処理システムを提供する。【解決手段】コンテンツに関して原本性を管理する原本性管理サーバ装置とコンテンツ管理サーバ装置からなる情報処理システムであって、前記原本性管理サーバ装置は、原本コンテンツとその複製コンテンツを示す原本ＩＤ生成手段、原本ＩＤ単位でオリジナルか複製かを示す複製番号生成手段、原本ＩＤ、複製番号と所有者情報からなる原本性情報暗号化手段、原本ＩＤと複製番号によるオリジナル識別手段、原本ＩＤと複製番号によるオリジナル設定手段、原本ＩＤ単位のオーナー識別手段、原本ＩＤ単位で記録する遷移記録手段とを備え、前記コンテンツ管理サーバ装置は、暗号化された原本ＩＤと複製番号を、記憶する原本性情報格納手段と、原本性管理サーバに対するコンテンツ遷移情報送信手段を備えた。【選択図】図１
2010067049.tif 000002
【特許請求の範囲】
【請求項１】
コンテンツに関して原本性を管理するための原本性管理サーバ装置と、当該原本性管理サーバ装置が管理する情報に従ってコンテンツを管理するコンテンツ管理サーバ装置からなる情報処理システムであって、
前記原本性管理サーバ装置は、
原本コンテンツとその複製コンテンツの集合を示す原本ＩＤを生成する原本ＩＤ生成手段と、
原本ＩＤ単位でオリジナルか複製かを示す識別子を生成する複製番号生成手段と、
原本ＩＤと複製番号と所有者情報を暗号化または復号化する原本性情報暗号化手段と、
原本ＩＤと複製番号によりオリジナルコンテンツを識別するオリジナル識別手段と、
原本ＩＤと複製番号によるオリジナルコンテンツの指定を受け付けるオリジナル設定手段と、
原本ＩＤに対する全ての複製コンテンツのリストを取得する複製リスト取得手段と、
原本ＩＤ単位でその所有者を識別するオーナー識別手段と、
原本ＩＤ単位でコンテンツの遷移を記録する遷移記録手段とを備え、
前記コンテンツ管理サーバ装置は、
前記原本性管理サーバ装置へ原本ＩＤの生成を依頼する原本ＩＤ発行依頼手段と、
前記原本性管理サーバへ複製番号の生成を依頼する複製番号発行依頼手段と、
暗号化された原本ＩＤと複製番号を、当該コンテンツと関連づけて記憶する原本性情報格納手段と、
原本性管理サーバへコンテンツの遷移情報を送信する遷移情報送信手段とを備えることを特徴とする情報処理システム。
【請求項２】
コンテンツに関して原本性を管理するための原本性管理サーバ装置と、当該原本性管理サーバ装置が管理する情報に従ってコンテンツを管理するコンテンツ管理サーバ装置からなる情報処理システムの前記原本性管理サーバ装置であって、
原本コンテンツとその複製コンテンツの集合を示す原本ＩＤを生成する原本ＩＤ生成手段と、
原本ＩＤ単位でオリジナルか複製かを示す識別子を生成する複製番号生成手段と、
原本ＩＤと複製番号と所有者情報を暗号化または復号化する原本性情報暗号化手段と、
原本ＩＤと複製番号によりオリジナルコンテンツを識別するオリジナル識別手段と、
原本ＩＤと複製番号によるオリジナルコンテンツの指定を受け付けるオリジナル設定手段と、
原本ＩＤに対する全ての複製コンテンツのリストを取得する複製リスト取得手段と、
原本ＩＤ単位でその所有者を識別するオーナー識別手段と、
原本ＩＤ単位でコンテンツの遷移を記録する遷移記録手段とを備えたことを特徴とする原本性管理サーバ装置。
【請求項３】
コンテンツに関して原本性を管理するための原本性管理サーバ装置と、当該原本性管理サーバ装置が管理する情報に従ってコンテンツを管理するコンテンツ管理サーバ装置からなる情報処理システムの前記コンテンツ管理サーバ装置であって、
前記原本性管理サーバ装置へ原本ＩＤの生成を依頼する原本ＩＤ発行依頼手段と、
前記原本性管理サーバへ複製番号の生成を依頼する複製番号発行依頼手段と、
暗号化された原本ＩＤと複製番号を、当該コンテンツと関連づけて記憶する原本性情報格納手段と、
原本性管理サーバへコンテンツの遷移情報を送信する遷移情報送信手段とを備えたことを特徴とするコンテンツ管理サーバ装置。
【請求項４】
コンテンツに関して原本性を管理するための原本性管理サーバ装置と、当該原本性管理サーバ装置が管理する情報に従ってコンテンツを管理するコンテンツ管理サーバ装置からなる情報処理システムの前記原本性管理サーバ装置の情報処理方法であって、
原本コンテンツとその複製コンテンツの集合を示す原本ＩＤを生成する原本ＩＤ生成ステップと、
原本ＩＤ単位でオリジナルか複製かを示す識別子を生成する複製番号生成ステップと、
原本ＩＤと複製番号と所有者情報を暗号化または復号化する原本性情報暗号化ステップと、
原本ＩＤと複製番号によりオリジナルコンテンツを識別するオリジナル識別ステップと、
原本ＩＤと複製番号によるオリジナルコンテンツの指定を受け付けるオリジナル設定ステップと、
原本ＩＤに対する全ての複製コンテンツのリストを取得する複製リスト取得ステップと、
原本ＩＤ単位でその所有者を識別するオーナー識別ステップと、
原本ＩＤ単位でコンテンツの遷移を記録する遷移記録ステップとを備えたことを特徴とする原本性管理サーバ装置の情報処理方法。
【請求項５】
コンテンツに関して原本性を管理するための原本性管理サーバ装置と、当該原本性管理サーバ装置が管理する情報に従ってコンテンツを管理するコンテンツ管理サーバ装置からなる情報処理システムの前記コンテンツ管理サーバ装置の情報処理方法であって、
前記原本性管理サーバ装置へ原本ＩＤの生成を依頼する原本ＩＤ発行依頼ステップと、
前記原本性管理サーバへ複製番号の生成を依頼する複製番号発行依頼ステップと、
暗号化された原本ＩＤと複製番号を、当該コンテンツと関連づけて記憶する原本性情報格納ステップと、
原本性管理サーバへコンテンツの遷移情報を送信する遷移情報送信ステップとを備えたことを特徴とするコンテンツ管理サーバ装置の情報処理方法。
【請求項６】
請求項４記載の原本性管理サーバ装置の情報処理方法の各ステップをコンピュータに機能させることを特徴とするプログラム。
【請求項７】
請求項５記載のコンテンツ管理サーバ装置の情報処理方法の各ステップをコンピュータに機能させることを特徴とするプログラム。
【請求項８】
請求項６または請求項７に記載のプログラムを格納したコンピュータに読み取り可能な記録媒体。
【発明の詳細な説明】
【技術分野】
【０００１】
本発明は、コンテンツに関して原本性を管理するとともに、その分岐を追跡可能にした情報処理システム、原本性管理サーバ装置、コンテンツ管理サーバ装置、原本性管理サーバ装置の情報処理方法、コンテンツ管理サーバ装置の情報処理方法、プログラム、および、記録媒体に関する。
【背景技術】
【０００２】
従来、企業で扱う文書を電子化して管理することは既に一般化しており、様々な文書管理システムが使用されている。電子文書は複製や改竄が容易であるため、それらを防止するために、原本性保証に着目した文書管理システムも考案されている。
【０００３】
例えば、特許文献１では、暗号化技術を用いることにより、複数コンテンツで構成される文書の原本性保証を行う手法が提案されている。
【特許文献１】特開２００１‐１４７８９８号公報
【発明の開示】
【発明が解決しようとする課題】
【０００４】
従来の文書管理システムの多くは、電子文書の複製や改竄を防止する、あるいは、それらが行われた履歴を証跡として残すことにより、文書管理業務における不正行為を抑止することを可能にした機能を備えている。
【０００５】
しかしながら、実際の業務においては、「文書の複製」はバックアップ用途として非常に有効であり、また、業務によっては、文書を常時更新することが必要な場合もある。このような業務では、複製や改竄を防止することよりも、複製や削除といった「文書の分岐」を適切に把握できることが、文書管理業務の生産性向上に寄与する。これは、文書管理業務のみならず、コンテンツ管理業務全般に当てはまることである。
【０００６】
本発明は、かかる実情に鑑みてなされたものであり、コンテンツに関して原本性を管理するとともに、その分岐を追跡可能にした情報処理システム、原本性管理サーバ装置、コンテンツ管理サーバ装置、原本性管理サーバ装置の情報処理方法、コンテンツ管理サーバ装置の情報処理方法、プログラム、および、記録媒体を提供すること目的とする。
【課題を解決するための手段】
【０００７】
本発明は、コンテンツに関して原本性を管理するための原本性管理サーバ装置と、当該原本性管理サーバ装置が管理する情報に従ってコンテンツを管理するコンテンツ管理サーバ装置からなる情報処理システムであって、前記原本性管理サーバ装置は、原本コンテンツとその複製コンテンツの集合を示す原本ＩＤを生成する原本ＩＤ生成手段と、原本ＩＤ単位でオリジナルか複製かを示す識別子を生成する複製番号生成手段と、原本ＩＤと複製番号と所有者情報を暗号化または復号化する原本性情報暗号化手段と、原本ＩＤと複製番号によりオリジナルコンテンツを識別するオリジナル識別手段と、原本ＩＤと複製番号によるオリジナルコンテンツの指定を受け付けるオリジナル設定手段と、原本ＩＤに対する全ての複製コンテンツのリストを取得する複製リスト取得手段と、原本ＩＤ単位でその所有者を識別するオーナー識別手段と、原本ＩＤ単位でコンテンツの遷移を記録する遷移記録手段とを備え、前記コンテンツ管理サーバ装置は、前記原本性管理サーバ装置へ原本ＩＤの生成を依頼する原本ＩＤ発行依頼手段と、前記原本性管理サーバへ複製番号の生成を依頼する複製番号発行依頼手段と、暗号化された原本ＩＤと複製番号を、当該コンテンツと関連づけて記憶する原本性情報格納手段と、原本性管理サーバへコンテンツの遷移情報を送信する遷移情報送信手段とを備えるものである。
【０００８】
また、コンテンツに関して原本性を管理するための原本性管理サーバ装置と、当該原本性管理サーバ装置が管理する情報に従ってコンテンツを管理するコンテンツ管理サーバ装置からなる情報処理システムの前記原本性管理サーバ装置であって、原本コンテンツとその複製コンテンツの集合を示す原本ＩＤを生成する原本ＩＤ生成手段と、原本ＩＤ単位でオリジナルか複製かを示す識別子を生成する複製番号生成手段と、原本ＩＤと複製番号と所有者情報を暗号化または復号化する原本性情報暗号化手段と、原本ＩＤと複製番号によりオリジナルコンテンツを識別するオリジナル識別手段と、原本ＩＤと複製番号によるオリジナルコンテンツの指定を受け付けるオリジナル設定手段と、原本ＩＤに対する全ての複製コンテンツのリストを取得する複製リスト取得手段と、原本ＩＤ単位でその所有者を識別するオーナー識別手段と、原本ＩＤ単位でコンテンツの遷移を記録する遷移記録手段とを備えたものである。
【０００９】
また、コンテンツに関して原本性を管理するための原本性管理サーバ装置と、当該原本性管理サーバ装置が管理する情報に従ってコンテンツを管理するコンテンツ管理サーバ装置からなる情報処理システムの前記コンテンツ管理サーバ装置であって、前記原本性管理サーバ装置へ原本ＩＤの生成を依頼する原本ＩＤ発行依頼手段と、前記原本性管理サーバへ複製番号の生成を依頼する複製番号発行依頼手段と、暗号化された原本ＩＤと複製番号を、当該コンテンツと関連づけて記憶する原本性情報格納手段と、原本性管理サーバへコンテンツの遷移情報を送信する遷移情報送信手段とを備えたものである。
【００１０】
また、コンテンツに関して原本性を管理するための原本性管理サーバ装置と、当該原本性管理サーバ装置が管理する情報に従ってコンテンツを管理するコンテンツ管理サーバ装置からなる情報処理システムの前記原本性管理サーバ装置の情報処理方法であって、原本コンテンツとその複製コンテンツの集合を示す原本ＩＤを生成する原本ＩＤ生成ステップと、原本ＩＤ単位でオリジナルか複製かを示す識別子を生成する複製番号生成ステップと、原本ＩＤと複製番号と所有者情報を暗号化または復号化する原本性情報暗号化ステップと、原本ＩＤと複製番号によりオリジナルコンテンツを識別するオリジナル識別ステップと、原本ＩＤと複製番号によるオリジナルコンテンツの指定を受け付けるオリジナル設定ステップと、原本ＩＤに対する全ての複製コンテンツのリストを取得する複製リスト取得ステップと、原本ＩＤ単位でその所有者を識別するオーナー識別ステップと、原本ＩＤ単位でコンテンツの遷移を記録する遷移記録ステップとを備えたものである。
【００１１】
また、コンテンツに関して原本性を管理するための原本性管理サーバ装置と、当該原本性管理サーバ装置が管理する情報に従ってコンテンツを管理するコンテンツ管理サーバ装置からなる情報処理システムの前記コンテンツ管理サーバ装置の情報処理方法であって、前記原本性管理サーバ装置へ原本ＩＤの生成を依頼する原本ＩＤ発行依頼ステップと、前記原本性管理サーバへ複製番号の生成を依頼する複製番号発行依頼ステップと、暗号化された原本ＩＤと複製番号を、当該コンテンツと関連づけて記憶する原本性情報格納ステップと、原本性管理サーバへコンテンツの遷移情報を送信する遷移情報送信ステップとを備えたものである。
【発明の効果】
【００１２】
したがって、本発明によれば、コンテンツに関して原本性を管理するとともに、その分岐を追跡可能にしたので、複製や削除といった「文書の分岐」を適切に把握できるという効果を得る。
【発明を実施するための最良の形態】
【００１３】
以下、添付図面を参照しながら、本発明の実施の形態を詳細に説明する。
【００１４】
図１は、本発明の一実施例にかかる情報処理システムの一例を示している。
【００１５】
同図において、コンテンツ管理サーバ装置ＣＶは、この情報処理システムが管理するコンテンツを保存し、コンテンツ管理クライアント装置ＣＣにより、保存したコンテンツの複製や削除などの作業を受け付けるものであり、原本性管理サーバ装置ＯＶは、コンテンツ管理クライアント装置ＣＣに保存されたコンテンツの原本性を管理するための情報を保存するものである。
【００１６】
これらのコンテンツ管理クライアント装置ＣＣ、コンテンツ管理サーバ装置ＣＶ、および、原本性管理サーバ装置ＯＶは、ローカルエリアネットワークＬＡＮに接続され、相互に種々のデータのやりとりを行えるようになっている。これらのコンテンツ管理クライアント装置ＣＣ、コンテンツ管理サーバ装置ＣＶ、および、原本性管理サーバ装置ＯＶの相互間の通信は、ＴＣＰ／ＩＰを基本プロトコルとした適宜な通信アプリケーションが適用される。
【００１７】
例えば、コンテンツ管理クライアント装置ＣＣとコンテンツ管理サーバ装置ＣＶとの間の通信は、適宜なＷｅｂサーバ・クライアント形式の通信アプリケーションなどが用いられ、それにより、コンテンツ管理クライアント装置ＣＣのユーザは、Ｗｅｂブラウザを用いてＧＵＩ的な操作により、コンテンツ管理サーバ装置ＣＶに対して種々の作業を行うことができる。また、コンテンツ管理サーバ装置ＣＶと原本性管理サーバ装置ＯＶの相互間の通信は、適宜な通信アプリケーションが用いられて行われる。
【００１８】
これらのコンテンツ管理クライアント装置ＣＣ、コンテンツ管理サーバ装置ＣＶ、および、原本性管理サーバ装置ＯＶは、例えば、一般的なパーソナルコンピュータ装置などのデータ処理装置を用いて構築することができ、その一例を図２に示す。
【００１９】
同図において、ＣＰＵ（中央処理装置）１は、このデータ処理装置の動作制御を行うものであり、ＲＯＭ（リード・オンリ・メモリ）２は、ＣＰＵ１が起動時に実行するプログラムや必要なデータ等を記憶するためのものであり、ＲＡＭ（ランダム・アクセス・メモリ）２は、ＣＰＵ２のワークエリア等を構成するためのものである。
【００２０】
キャラクタジェネレータ４は、図形文字の表示データを発生するためのものであり、時計回路５は、現在日時情報を出力するためのものであり、ローカルエリアネットワークインターフェース回路６は、このデータ処理装置をローカルエリアネットワークＬＡＮに接続するためのものであり、ローカルエリアネットワーク伝送制御部７は、ローカルエリアネットワークＬＡＮを介して、他のデータ端末装置との間で種々のデータをやりとりするための各種所定のプロトコルスイートの通信制御処理を実行するためのものである。
【００２１】
磁気ディスク装置８は、種々のアプリケーションプログラム、ワークデータ、ファイルデータ、保存管理するコンテンツなどの種々のデータを記憶するためのものであり、光学媒体駆動装置９は、交換可能な光学記録媒体１０（例えば、ＣＤ−ＲＯＭ、ＤＶＤなど）のデータをアクセス（読み書き）するためのものであり、画面表示装置１１は、このデータ処理装置をユーザが操作するための画面を表示するためのものであり、表示制御部１２は、画面表示装置１１の表示内容を制御するためのものである。
【００２２】
キーボード装置１３は、このデータ処理装置に種々のキー操作を行うためのものであり、画面指示装置１４は、画面表示装置１１の任意の点を指示する等の操作作業を行うためのものであり、入力制御部１５は、キーボード装置１３および画面指示装置１４の入力情報を取り込む等するためのものである。
【００２３】
ＵＳＢホストユニット１６は、ＵＳＢホスト機能を実現するためのものであり、ＵＳＢメモリＭＭなどの種々のＵＳＢ装置を着脱するためのソケット１７が設けられている。
【００２４】
これらのＣＰＵ１、ＲＯＭ２、ＲＡＭ３、キャラクタジェネレータ４、時計回路５、ローカルエリアネット伝送制御部７、磁気ディスク装置８、光学媒体駆動装置９、表示制御部１２、入力制御部１５、および、ＵＳＢホストユニット１６は、内部バス１８に接続されており、これらの各要素間のデータのやりとりは、主としてこの内部バス１８を介して行われる。
【００２５】
図３は、原本性管理サーバ装置ＯＶの機能ブロックの一例を示している。
【００２６】
同図において、原本ＩＤ生成手段２１は、原本性管理サーバ内でユニークとなるように原本ＩＤを生成し、ユーザ情報とともに記憶装置（磁気ディスク装置８）上の原本管理テーブル２２に格納する。
【００２７】
複製番号作成手段２３は、原本ＩＤ単位で複製番号を採番し、記憶装置上の分岐管理テーブル２４にその情報を格納する。原本ＩＤ単位で最初の採番である場合は、原本管理テーブル２４の該当レコードにオーナー情報を設定する。
【００２８】
原本性情報暗号化手段２５は、暗号化された原本ＩＤと複製番号の情報を復号化して返す。また、原本ＩＤと複製番号の情報を暗号化して返す。
【００２９】
オリジナル識別手段２６は、原本性情報暗号化手段２５に暗号化された原本ＩＤと複製番号の情報を渡し、復号化された情報を受け取る。それを、記憶装置上の分岐管理テーブル２４と照らし合わせ、その原本ＩＤと複製番号がオリジナルか否かを識別して返す。また、当該原本ＩＤのオリジナルが削除されている場合はその旨も返す。
【００３０】
オリジナル設定手段２７は、原本性情報暗号化手段２５に暗号化された原本ＩＤと複製番号の情報を渡し、復号化された情報を受け取る。その情報に基づいて、記憶装置上の分岐管理テーブル２４の該当レコードに、オリジナルであることを示すフラグ（オリジナルフラグ）を設定する。同一原本ＩＤの他のレコードにオリジナルフラグが設定されている場合は、その他のオリジナルフラグの設定を解除する。
【００３１】
複製リスト取得手段２８は、原本性情報暗号化手段２５に暗号化された原本ＩＤと複製番号の情報を渡し、復号化された情報を受け取る。それを、記憶装置上の分岐管理テーブル２４と照らし合わせ、同一の原本ＩＤを持ち、かつオリジナルフラグが設定されていないレコードを複製リストとして取得する。
【００３２】
オーナー識別手段２９は、原本性情報暗号化手段２５に暗号化された原本ＩＤとユーザの情報を渡し、復号化された情報を受け取る。それを、記憶装置上の原本管理テーブル２２と照らし合わせ、当該ユーザが、その原本ＩＤとで示されるコンテンツのオーナーかどうかを判定する。
【００３３】
遷移記録手段３０は、原本性情報暗号化手段２５に暗号化された原本ＩＤと複製番号とユーザの情報を渡し、復号化された情報を受け取る。それらの情報と遷移に関する情報を、記憶装置上の遷移情報テーブル３１に格納する。また、コンテンツ移動を示す遷移情報を受け取った場合は、分岐管理テーブル２４の該当レコードにコンテンツの格納先を設定する。
【００３４】
図４（ａ）は、ユーザ情報の一例を示し、同図（ｂ）は、原本管理テーブル２２に保存される１つのレコードの一例を示し、同図（ｃ）は、分岐管理テーブル２４に保存される１つのレコードの一例を示し、同図（ｄ）は、遷移管理テーブル３１に保存される１つのレコードの一例を示す。なお、同図（ｅ）は、後述する原本管理テーブル４６に保存される１つのレコードの一例を示している。
【００３５】
図５は、コンテンツ管理サーバ装置ＣＶの機能ブロック図の一例を示している。
【００３６】
同図において、原本ＩＤ発行依頼手段４１は、原本性管理サーバ装置ＯＶへ原本ＩＤの発行を依頼する。
【００３７】
複製番号発行手段４２は、原本性管理サーバ装置ＯＶへ複製番号の発行を依頼する。
【００３８】
原本性情報格納手段４３は、受け取った暗号化された原本ＩＤと複製番号を、コンテンツに関連づける形でコンテンツ管理部４４に渡す。
【００３９】
遷移情報送信手段４５は、コンテンツの新規作成、複製、移動、削除の情報を原本性管理サーバ装置ＯＶに渡す。
【００４０】
コンテンツ管理部４４は、コンテンツをコンテンツ番号で管理するとともに、暗号化された原本ＩＤ・複製番号と、コンテンツ番号を、記憶装置（磁気ディスク装置８）上の原本情報テーブル４６で関連づけて管理する。
【００４１】
図６は、コンテンツ新規作成時におけるこの情報処理システムの処理の一例を示している。
【００４２】
コンテンツ管理クライアント装置ＣＣのユーザがコンテンツ管理サーバ装置ＣＶに対してコンテンツの新規作成を操作指示した場合、コンテンツ管理サーバ装置ＣＶは、原本性管理サーバ装置ＯＶに当該ユーザ情報を渡し、原本ＩＤの発行を要求する（ステップ１０１）。
【００４３】
これにより、原本性管理サーバ装置ＯＶは、原本ＩＤを生成し（ステップ１０２）、原本ＩＤとユーザ情報を原本管理テーブルに記録し（ステップ１０３）、原本ＩＤを暗号化してコンテンツ管理サーバ装置ＣＶに渡す（ステップ１０４）。
【００４４】
それにより、コンテンツ管理サーバ装置ＣＶは、原本性管理サーバ装置ＯＶに暗号化された原本ＩＤを渡し、複製番号の発行を要求する（ステップ１０５）。
【００４５】
これにより、原本性管理サーバ装置ＯＶは、原本ＩＤを復号化し（ステップ１０６）、原本ＩＤに対する複製番号を生し（ステップ１０７）、原本ＩＤと複製番号を、分岐管理テーブルに記録し（ステップ１０８）、複製番号を暗号化してコンテンツ管理サーバ装置ＣＶに返す（ステップ１０９）。
【００４６】
それにより、コンテンツ管理サーバ装置ＣＶは、暗号化された原本ＩＤと複製番号を原本性管理サーバ装置ＯＶに渡し、オリジナル設定を要求する（ステップ１１０）。
【００４７】
これにより、原本性管理サーバ装置ＯＶは、暗号化された原本ＩＤと複製番号を復号化し（ステップ１１１）、原本ＩＤと複製番号を用いて、分岐管理テーブル上の該当レコードを走査し、オリジナルフラグをオンに設定する（ステップ１１２）。
【００４８】
また、コンテンツ管理サーバ装置ＣＶは、コンテンツ番号を採番してコンテンツ登録を行い（ステップ１１３）、暗号化された原本ＩＤ・複製番号と、コンテンツ番号を原本情報テーブルに記録する（ステップ１１４）。
【００４９】
次いで、コンテンツ管理サーバ装置ＣＶは、原本性管理サーバ装置ＯＶに暗号化された原本ＩＤ・複製番号とユーザ番号を渡し、「新規作成」の遷移種別の遷移記録を要求する（ステップ１１５）。
【００５０】
それにより、原本性管理サーバ装置ＯＶは、原本ＩＤ・複製番号を復号化し（ステップ１１６）、原本ＩＤ、複製番号、ユーザ情報、遷移種別を遷移情報テーブルに記録する（ステップ１１７）。
【００５１】
図７および８は、コンテンツ参照時におけるこの情報処理システムの処理の一例を示している。
【００５２】
コンテンツ管理クライアント装置ＣＣのユーザがコンテンツ管理サーバ装置ＣＶに対してコンテンツ参照を操作指示した場合、コンテンツ管理サーバ装置ＣＶは、原本情報テーブルから当該コンテンツ番号に対する暗号化された原本ＩＤ・複製番号を取得し（ステップ２０１）、暗号化された原本ＩＤ・複製番号を原本性管理サーバ装置ＯＶに渡し、オリジナル識別を要求する（ステップ２０２）。
【００５３】
それにより、原本性管理サーバ装置ＯＶは、暗号化された原本ＩＤ・複製番号を復号化し（ステップ２０３）、分岐管理テーブル情報の原本ＩＤが一致するレコード群を取得する（ステップ２０４）。
【００５４】
そして、レコード群の中に、オリジナルフラグがオン、かつ、削除フラグがオフであるレコードが存在するかどうかを調べ（ステップ２０５）、ステップ２０５の結果がＹＥＳになるときには、該当レコードの複製番号は、当該複製番号と同一であるかどうかを調べる（ステップ２０６）。
【００５５】
ステップ２０６の結果がＹＥＳになるときには、原本性管理サーバ装置ＯＶは、コンテンツ管理サーバ装置ＣＶに当該文書がオリジナルとして存在している旨を返す（ステップ２０７）。それにより、文書管理サーバ装置は、ＧＵＩを用いて、ユーザにオリジナル種別の結果を通知する（ステップ２０８）。
【００５６】
また、ステップ２０６の結果がＮＯになるときには、原本性管理サーバ装置ＯＶは、コンテンツ管理サーバ装置ＣＶにオリジナルが存在するが、当該コンテンツは複製である旨を返す（ステップ２０９）。次いで、ステップ２０８に進む。
【００５７】
一方、ステップ２０５の結果がＮＯになるときには、原本性管理サーバ装置ＯＶは、レコード群の中に、オリジナルフラグがオン、かつ、削除フラグがオンであるレコードが存在するかどうかを調べ（ステップ２１０）、ステップ２１０の結果がＹＥＳになるときには、該当レコードの複製番号は、当該複製番号と同一であるかどうかを調べる（ステップ２１１）。
【００５８】
ステップ２１１の結果がＹＥＳになるときには、原本性管理サーバ装置ＯＶは、コンテンツ管理サーバ装置ＣＶに当該文書はオリジナルであるが削除されている旨を返す（ステップ２１２）。次いで、ステップ２０８へと進む。
【００５９】
また、ステップ２１１の結果がＮＯになるとき、あるいは、ステップ２１０の結果がＮＯになるときには、原本性管理サーバ装置ＯＶは、コンテンツ管理サーバ装置ＣＶに当該コンテンツは複製であり、オリジナルは存在しない旨を返す（ステップ２１３）。次いで、ステップ２０８へ進む。
【００６０】
図９は、コンテンツ複製時におけるこの情報処理システムの処理の一例を示している。
【００６１】
コンテンツ管理クライアント装置ＣＣのユーザがコンテンツ管理サーバ装置ＣＶに対してコンテンツ複製を操作指示した場合、コンテンツ管理サーバ装置ＣＶは、原本情報テーブルから当該コンテンツ番号に対する暗号化された原本ＩＤ・複製番号を取得し（ステップ３０１）、暗号化された原本ＩＤを原本性管理サーバ装置ＯＶに渡し、複製番号の発行を要求する（ステップ３０２）。
【００６２】
それにより、原本性管理サーバ装置ＯＶは、原本ＩＤを復号化し（ステップ３０３）、原本ＩＤに対する複製番号を生成し（ステップ３０４）、原本ＩＤと複製番号を、分岐管理テーブルに記録し（ステップ３０５）、複製番号を暗号化してコンテンツ管理サーバ装置ＣＶに返す（ステップ３０６）。
【００６３】
これにより、コンテンツ管理サーバ装置ＣＶは、コンテンツ番号を採番してコンテンツ登録を行い（ステップ３０７）、暗号化された原本ＩＤ・複製番号とコンテンツ番号を原本情報テーブルに記録し（ステップ３０８）、原本性管理サーバ装置ＯＶに暗号化された原本ＩＤ・複製番号とユーザ情報を渡し、「複製」の遷移種別の遷移記録を要求する（ステップ３０９）。
【００６４】
それにより、原本性管理サーバ装置ＯＶは、原本ＩＤ・複製番号を復号化し（ステップ３１０）、原本ＩＤ・複製番号、ユーザ情報、遷移種別（複製）を遷移情報テーブルに記録する（ステップ３１１）。
【００６５】
図１０は、コンテンツ移動時におけるこの情報処理システムの処理の一例を示している。
【００６６】
コンテンツ管理クライアント装置ＣＣのユーザがコンテンツ管理サーバ装置ＣＶに対してコンテンツ移動を操作指示した場合、コンテンツ管理サーバ装置ＣＶは、原本情報テーブルから当該コンテンツ番号に対する暗号化された原本ＩＤ・複製番号を取得し（ステップ４０１）、暗号化された原本ＩＤを原本性管理サーバ装置ＯＶに渡し、複製番号の発行を要求する（ステップ４０２）。
【００６７】
それにより、原本性管理サーバ装置ＯＶは、原本ＩＤを復号化し（ステップ４０３）、原本ＩＤに対する複製番号を生成し（ステップ４０４）、原本ＩＤと複製番号を、分岐管理テーブルに記録し（ステップ４０５）、複製番号を暗号化してコンテンツ管理サーバ装置ＣＶに返す（ステップ４０６）。
【００６８】
これにより、コンテンツ管理サーバ装置ＣＶは、コンテンツ番号を採番してコンテンツ登録を行い（ステップ４０７）、暗号化された原本ＩＤ・複製番号とコンテンツ番号を原本情報テーブルに記録し（ステップ４０８）、原本性管理サーバ装置ＯＶに暗号化された原本ＩＤ・複製番号とユーザ情報を渡し、「移動」の遷移種別の遷移記録を要求する（ステップ４０９）。
【００６９】
それにより、原本性管理サーバ装置ＯＶは、原本ＩＤ・複製番号を復号化し（ステップ４１０）、原本ＩＤ・複製番号、ユーザ情報、遷移種別（移動）を遷移情報テーブルに記録する（ステップ４１１）。
【００７０】
図１１は、コンテンツ削除時におけるこの情報処理システムの処理の一例を示している。
【００７１】
コンテンツ管理クライアント装置ＣＣのユーザがコンテンツ管理サーバ装置ＣＶに対してコンテンツ削除を操作指示した場合、コンテンツ管理サーバ装置ＣＶは、原本情報テーブルから当該コンテンツ番号に対する暗号化された原本ＩＤ・複製番号を取得し（ステップ５０１）、コンテンツ管理サーバ装置ＣＶは、暗号化された原本ＩＤ・複製番号を原本性管理サーバ装置ＯＶに渡し、オリジナル識別を要求する（ステップ５０２）。これにより、図７，８に示した、ステップ２０３〜２１３の動作が行われる。
【００７２】
次いで、コンテンツ管理サーバ装置ＣＶは、暗号化された原本ＩＤと当該ユーザ情報を原本性管理サーバ装置ＯＶに渡し、オーナー識別を要求する（ステップ５０３）。
【００７３】
それにより、原本性管理サーバ装置ＯＶは、暗号化された原本ＩＤを復号化し（ステップ５０４）、原本ＩＤを用いて原本管理テーブル上の該当レコードを走査し、オーナー情報を取得する（ステップ５０５）。
【００７４】
また、コンテンツ管理サーバ装置ＣＶは、当該コンテンツおよび原本管理テーブル上の当該レコードを削除し（ステップ５０６）、当該文書がオリジナル、かつ、当該ユーザがオーナーであるかどうかを調べる（ステップ５０７）。ステップ５０７の結果がＮＯになるときには、このときの処理を終了する。
【００７５】
一方、ステップ５０７の結果がＹＥＳになるときには、コンテンツ管理サーバ装置ＣＶは、暗号化された原本ＩＤを原本性管理サーバ装置ＯＶに渡し、複製リストを要求する（ステップ５０８）。
【００７６】
それにより、原本性管理サーバ装置ＯＶは、暗号化された原本ＩＤを復号化し（ステップ５０９）、原本ＩＤを用いて分岐管理テーブルを走査し、原本ＩＤが同一、かつ、オリジナルフラグがオフ、かつ、削除フラグがオフであるレコードを全て取得し（ステップ５１０）、取得した全レコードの複製番号を暗号化し（ステップ５１１）、暗号化された複製番号のリストをコンテンツ管理サーバ装置ＣＶに返す（ステップ５１２）。
【００７７】
これにより、コンテンツ管理サーバ装置ＣＶは、ＧＵＩを用いて複製リストを表示し、ユーザからのオリジナル指定を受け付ける（ステップ５１３）。ここで、複製リスト内のひとつが指定されたかどうかを調べ（ステップ５１４）、ステップ５１４の結果がＮＯになるときには、このときの処理を終了する。
【００７８】
一方、ステップ５１４の結果がＹＥＳになるときには、コンテンツ管理サーバ装置ＣＶは、指定されたコンテンツに対応する暗号化された原本ＩＤ・複製番号を原本性管理サーバ装置ＯＶに渡し、オリジナル設定を要求する（ステップ５１５）。
【００７９】
これにより、原本性管理サーバ装置ＯＶは、暗号化された原本ＩＤ・複製番号を復号化し（ステップ５１６）、原本ＩＤと複製番号を用い、分岐管理テーブル上の該当レコードを走査し、オリジナルフラグをオンに設定する（ステップ５１７）。
【００８０】
また、コンテンツ管理サーバ装置ＣＶは、原本性管理サーバ装置ＯＶに、暗号化された原本ＩＤ・複製番号を渡し、「削除」の遷移種別の遷移記録を要求する（ステップ５１８）。
【００８１】
それにより、原本性管理サーバ装置ＯＶは、原本ＩＤ・複製番号を復号化し（ステップ５１９）、原本ＩＤ・複製番号、ユーザ情報、遷移種別を遷移情報テーブルに記録し（ステップ５２０）、原本ＩＤ・複製番号を用いて分岐管理テーブルを走査し、該当レコードの削除フラグにオンを設定する（ステップ５２１）。
【００８２】
図１２，１３は、コンテンツのリストア時におけるこの情報処理システムの処理の一例を示している。
【００８３】
コンテンツ管理クライアント装置ＣＣのユーザがコンテンツ管理サーバ装置ＣＶに対してコンテンツのリストアを操作指示した場合、コンテンツ管理サーバ装置ＣＶは、リストア対象のコンテンツを１つ選び（ステップ６０１）、原本情報テーブルから当該コンテンツ番号に対する暗号化された原本ＩＤ・複製番号を取得し（ステップ６０２）、コンテンツ管理サーバ装置ＣＶは、暗号化された原本ＩＤ・複製番号を原本性管理サーバ装置ＯＶに渡し、オリジナル識別を要求する（ステップ６０３）。これにより、図６に示したステップ１１１，１１２の動作が行われる。
【００８４】
次いで、コンテンツ管理サーバ装置ＣＶは、当該文書をリストアする（ステップ６０４）。ここで、コンテンツ管理サーバ装置ＣＶは、当該文書のオリジナルが存在するがどうかを調べ（ステップ６０５）、ステップ６０５の結果がＹＥＳになるときには、当該文書がオリジナルであるかどうかを調べ（ステップ６０６）、ステップ６０６の結果がＹＥＳになるときには、コンテンツ管理サーバ装置ＣＶは、ＧＵＩにより、リストア対象文書をオリジナルとするか否かのユーザ選択を受け付ける（ステップ６０７）。
【００８５】
ここで、ユーザがオリジナルとするを選択し、ステップ６０８の結果がＹＥＳになるときには、コンテンツ管理サーバ装置ＣＶは、暗号化された原本ＩＤ・複製番号を原本性管理サーバ装置ＯＶに渡し、オリジナル設定を要求する（ステップ６０９）。これにより、図６に示したステップ１１１，１１２の動作が行われる。
【００８６】
次いで、全てのリストア対象のコンテンツが終了したかどうかを調べ（ステップ６１０）、ステップ６１０の結果がＮＯになるときには、ステップ６０１へ戻り、未処理のリストア対象のコンテンツの選択に戻り、それ以降の処理を実行する。また、ステップ６１０の結果がＹＥＳになるときには、この処理を終了する。
【００８７】
一方、ステップ６０５の結果がＮＯになるときには、コンテンツ管理サーバ装置ＣＶは、当該文書がオリジナルであるかどうかを調べる（ステップ６１１）、ステップ６１１の結果がＹＥＳになるときには、コンテンツ管理サーバ装置ＣＶは、暗号化された原本ＩＤ・複製番号を原本性管理サーバ装置ＯＶに渡し、オリジナル設定を要求する（ステップ６０９）。これにより、図６に示したステップ１１１，１１２の動作が行われる。次いで、ステップ６１０へ進み、それ以降の処理を実行する。また、ステップ６１１の結果がＮＯになるときには、ステップ６１０へ進み、それ以降の処理を実行する。
【００８８】
一方、ステップ６０８の結果がＮＯになるときには、コンテンツ管理サーバ装置ＣＶは、原本情報テーブルから当該コンテンツ番号に対する暗号化された原本ＩＤ・複製番号を取得し（ステップ６１５）、暗号化された原本ＩＤを原本性管理サーバ装置ＯＶに渡し、複製番号の発行を要求する（ステップ６１６）。
【００８９】
これにより、原本性管理サーバ装置ＯＶは、原本ＩＤを復号化し（ステップ６１７）、原本ＩＤに対する複製番号を生成し（ステップ６１８）、原本ＩＤと複製番号を、分岐管理テーブルに記録し（ステップ６１９）、複製番号を暗号化してコンテンツ管理サーバ装置ＣＶに返す（ステップ６２０）、
【００９０】
それにより、コンテンツ管理サーバ装置ＣＶは、暗号化された原本ＩＤ・複製番号とコンテンツ番号を原本情報テーブルに記録する（ステップ６２０）。
【図面の簡単な説明】
【００９１】
【図１】本発明の一実施例にかかる情報処理システムの一例を示したブロック図。
【図２】データ処理装置の構成の一例を示したブロック図。
【図３】原本性管理サーバ装置ＯＶの機能ブロックの一例を示したブロック図。
【図４】ユーザ情報、原本管理テーブル２２に保存される１つのレコードの一例、分岐管理テーブル２４に保存される１つのレコードの一例、遷移管理テーブル３１に保存される１つのレコードの一例、および、原本管理テーブル４６に保存される１つのレコードの一例を示した概略図。
【図５】コンテンツ管理サーバ装置ＣＶの機能ブロック図の一例を示したブロック図。
【図６】コンテンツ新規作成時におけるこの情報処理システムの処理の一例を示したフローチャート。
【図７】コンテンツ参照時におけるこの情報処理システムの処理の一例を示したフローチャート（図８に続く）。
【図８】コンテンツ参照時におけるこの情報処理システムの処理の一例を示したフローチャート（図７の続き）。
【図９】コンテンツ複製時におけるこの情報処理システムの処理の一例を示したフローチャート。
【図１０】コンテンツ移動時におけるこの情報処理システムの処理の一例を示したフローチャート。
【図１１】コンテンツ削除時におけるこの情報処理システムの処理の一例を示したフローチャート。
【図１２】コンテンツのリストア時におけるこの情報処理システムの処理の一例を示したフローチャート（図１３に続く）。
【図１３】コンテンツのリストア時におけるこの情報処理システムの処理の一例を示したフローチャート（図１２の続き）。
【符号の説明】
【００９２】
ＣＶ  コンテンツ管理サーバ装置
ＯＶ  原本性管理サーバ装置
ＣＣ  コンテンツ管理クライアント装置
【図１】
2010067049.tif 000003
【図２】
2010067049.tif 000004
【図３】
2010067049.tif 000005
【図４】
2010067049.tif 000006
【図５】
2010067049.tif 000007
【図６】
2010067049.tif 000008
【図７】
2010067049.tif 000009
【図８】
2010067049.tif 000010
【図９】
2010067049.tif 000011
【図１０】
2010067049.tif 000012
【図１１】
2010067049.tif 000013
【図１２】
2010067049.tif 000014
【図１３】
2010067049.tif 000015